(57)【要約】【課題】１階の天井裏に送風ファンとダクトを配置するだけの簡単な構造により、１台のストーブで全室を暖房でき、しかもランニングコストが安い全室暖房システムを提供するものである。【解決手段】ＦＦ式石油ストーブ５を設置した１階の部屋の天井面８に吸込口９を開口し、１階の天井裏１３に前記吸込口９に連通させて送風ファン１４を取付け、更にこの送風ファン１４からダクト１５を介して、一階の他の部屋の天井面８に開口した吹出口１０および２階の部屋の床面１１に開口した吹出口１０に接続し、前記ストーブ５からの温風を、天井吸込口９から送風ファン１４で吸引して、ダクト１５を通して各部屋の吹出口１０から供給して、１台のストーブ５で全室を暖房するようにしたものである。【選択図】    図１
2004271100.tif 000002
【特許請求の範囲】
【請求項１】
ストーブを設置した１階の部屋の天井面に吸込口を開口し、１階の天井裏に前記吸込口に連通させて送風ファンを取付け、更にこの送風ファンをダクトを介して、一階の他の部屋の天井面または壁面に開口した吹出口または／および２階の部屋の床面または壁面に開口した吹出口に接続し、前記ストーブからの温風を、天井吸込口から送風ファンで吸引して、ダクトを通して各部屋の吹出口から室内に供給することを特徴とする全室暖房システム。
【請求項２】
ストーブを設置した１階の部屋の、ストーブの上方の天井面に吸込口を開口したことを特徴とする請求項１記載の全室暖房システム。
【請求項３】
ストーブが石油ストーブまたはガスストーブ若しくは電気ストーブであることを特徴とする請求項１または２記載の全室暖房システム。
【請求項４】
石油ストーブが外部給排気筒を備えたＦＦ式石油ストーブであることを特徴とする請求項３記載の全室暖房システム。
【発明の詳細な説明】
【０００１】
【発明の属する技術分野】
本発明は１台のストーブで全室を暖房するシステムに関するものである。
【０００２】
【従来の技術】
一般に、住宅の暖房は、各部屋に石油ストーブや電気ストーブ、炬燵などを設置して部屋ごとに暖房を行なっている。しかしながら、この一般に行なわれている暖房では、各部屋に暖房器具を買い揃えなければならず、初期の器具代が高くなるばかりか、使用しない季節にはその保管場所を確保しなければならない。特に燃料代の安価な石油ストーブでは、頻繁に灯油を供給する手間が面倒である上、各部屋ごとに設置しているので燃料代も高くランニングコストがかかる問題があった。
【０００３】
またリビングやダイニングなどの床に、ボイラーで加熱した温水を循環させたり（例えば特許文献１参照）、電熱線を埋設して局部的に床暖房を行なっている家もある。しかしながらこの床暖房システムは、設置費用が高く、全室を床暖房システムにすることは、設置費用が極めて高くなり一般住宅では余り採用されていない。
【０００４】
【特許文献１】
特開２００２ー６１８５４（特許請求の範囲  図１）
【０００５】
【発明が解決しようとする課題】
本発明は上記問題を改善し、１階の天井裏に送風ファンとダクトを配置するだけの簡単な構造により、１台のストーブで全室を暖房でき、しかもランニングコストが安い全室暖房システムを提供するものである。
【０００６】
【課題を解決するための手段】
本発明の請求項１記載の全室暖房システムは、ストーブを設置した１階の部屋の天井面に吸込口を開口し、１階の天井裏に前記吸込口に連通させて送風ファンを取付け、更にこの送風ファンをダクトを介して、一階の他の部屋の天井面または壁面に開口した吹出口または／および２階の部屋の床面または壁面に開口した吹出口に接続し、前記ストーブからの温風を、天井吸込口から送風ファンで吸引して、ダクトを通して各部屋の吹出口から室内に供給することを特徴とするものである。
【０００７】
本発明の請求項２記載の全室暖房システムは、ストーブを設置した１階の部屋の、ストーブの上方の天井面に吸込口を開口したことを特徴とするものである。
また請求項３記載の全室暖房システムは、ストーブが石油ストーブまたはガスストーブ若しくは電気ストーブであることを特徴とするものである。更に請求項４記載の全室暖房システムは、石油ストーブが外部給排気筒を備えたＦＦ式石油ストーブであることを特徴とするものである。
【０００８】
【発明の実施の形態】
以下本発明の実施の一形態を図１を参照して詳細に説明する。図１は高気密高断熱施工の２階建ての木造住宅を示すもので、１階はリビングダイニング１と和室２があり、２階には子供部屋３と寝室４が設けられている。リビングダイニング１には、ＦＦ式石油ストーブ５が設置され、この背面に取付けた外部給排気筒６が壁７を貫通して外部に突出している。このＦＦ式石油ストーブ５を設置したリビングダイニング１の上方の天井面８には吸込口９が開口されている。
【０００９】
また１階の和室２の天井面８には吹出口１０が設けられている。更に２階の子供部屋３と寝室４の床面１１にもそれぞれ吹出口１０が設けられている。１階の天井面８と２階の床面１１との間の１階の天井裏（天井ふところ）１３には、送風ファン１４が設けられている。この送風ファン１４にはダクト１５が取付けられ、流入側のダクト１５は、リビングダイニング１の上方の天井面８に設けた前記吸込口９に接続されている。また排出側のダクト１５は、１階の和室２の天井面８に設けた吹出口１０と、２階の子供部屋３と寝室４の床面１１に設けた吹出口１０にそれぞれ接続されている。また各ダクト１５の先端には、各部屋に供給する暖気の流量を調整する調整弁が設けられている。
【００１０】
上記構成の全室暖房システムは、リビングダイニング１に設けたＦＦ式石油ストーブ５を点火すると、暖気が前方に吹き出され室内を暖房すると共に、軽い暖気は天井側に上昇する。１回の天井裏１３に設置した送風ファン１４を運転すると、天井側に上昇した暖気を、吸込口９からダクト１５を通して吸引し、更に排出側のダクト１５を通して１階の和室２の天井面８に取付けた吹出口１０から、暖気が吹出口１０内に供給されて、和室２の暖房が行なわれる。
【００１１】
同様に排出側のダクト１５を通して２階の子供部屋３と寝室４の床面１１に設けた吹出口１０から暖気が供給されて、子供部屋３と寝室４の暖房が行なわれる。冷気は、ドアーの隙間や階段を通って、リビングダイニング１に戻り、ここで再びＦＦ式石油ストーブ５により加熱されて暖気となり、再び送風ファン１４によりダクト１５を通して各部屋に供給される。このように連続的に、ＦＦ式石油ストーブ５と送風ファン１４を運転することにより、全室の暖房を効率よく行なうことができる。
【００１２】
従って、１台のＦＦ式石油ストーブ５により１階と２階の全室の暖房を行なうことができるので、従来のように各部屋ごとに暖房機器を設置する必要がなく、ランニングコストも従来の１／３から１／２低減することができると共に、初期の暖房機器の設置費用が１台で済むと共に、その保管場所も１台で済む。
【００１３】
またＦＦ式石油ストーブ５は外部給排気筒６を備えた構造であるので、燃焼した排ガスは外部に排出され、室内には清浄な暖気だけが循環するので、衛生的である。また２階の子供部屋３と寝室４は、床面１１から室内に暖気が供給されるので、床暖房となり室内を均一に暖房することができる。更に送風ファン１４を用いて、各部屋の空気を強制的に循環させるので、各部屋の温度の均一化が図られ、ヒートショック現象が防止されるので、高齢者にとっても冬期間、健康で快適な生活を送ることができる。
【００１４】
【実施例】
建坪１３２ｍ２  の高気密高断熱施工の２階建て木造住宅に本発明のシステムを設置して、各部屋の温度状態の変化を測定した。使用したＦＦ式石油ストーブ５は暖房出力が６４５０〜１４７０ｋｃａｌ／Ｈの間で調整できるものを用い、リビングダイニング１に設置して連続５日間運転した。送風ファン１４は風量３３６〜３７８ｍ３  ／Ｈのものを用いた。温度測定は、１階はリビングダイニング１と和室２で行ない、また２階は子供部屋３と寝室４で行ない、それぞれ床から１１０ｃｍの高さで温度を測定した。測定期間は２月１４日から２月１８日までの５日間行なった。ＦＦ式石油ストーブ５の設定温度は２２℃とし、測定した各部屋の温度変化の状態は図２に示すようになった。
【００１５】
図２に示す測定結果から、リビングダイニング１では、昼間は設定温度より２〜３℃高い状態に維持された。また１階の和室２は設定温度より２〜３℃低いことがあるが、２０℃以上に保持されているので、生活する上には十分暖かい温度であった。また２月１５日は晴れていたので、南側に面している和室２の温度は２８℃にまで達した。また２階の子供部屋３と寝室４は、設定温度より１〜４℃高い状態に保持された。従って外気の最低気温が０〜３℃の冬期間でも、１台のＦＦ式石油ストーブ５で全室を十分に暖房できることが確認された。
【００１６】
なお上記説明ではＦＦ式石油ストーブ５を用いた場合について示したが、ガスストーブ若しくは電気ストーブを用いても良い。また吹出口１０を天井面８と床面１１に取付けた場合について示したが、ダクト１５を壁体内空間に配管して、壁面に取付けた構造でも良い。また上記説明では２階建ての木造住宅の場合について示したが平屋建ての住宅にも適用することができる。
【００１７】
【発明の効果】
以上説明した如く本発明に係る請求項１記載の全室暖房システムによれば、１階の天井裏に送風ファンとダクトを配置するだけの簡単な構造により、１台のストーブで全室を効率よく暖房でき、従来のように各部屋ごとに暖房機器を設置する必要がなく、ランニングコストも従来の１／３から１／２低減して省エネルギー化を図ることができると共に、初期の暖房機器の設置費用が１台で済むと共に、その保管場所も１台で済むなど種々の効果を有するものである。
【００１８】
また請求項２記載の全室暖房システムによれば、ストーブを設置した１階の部屋の、ストーブの上方の天井面に吸込口を開口したので、ストーブで加熱された暖気を効率よく吸引して全室に供給し、各部屋の温度を均一化することができる。
【００１９】
また請求項３記載の全室暖房システムによれば、熱源のストーブとして石油ストーブまたはガスストーブ若しくは電気ストーブなど何れの暖房機器を用いることができ、ＦＦ式でなくとも送風ファンで強制的に全室に循環させているので最適の暖房機器を選定することができる。
【００２０】
また請求項４記載の全室暖房システムによれば、石油ストーブとして外部給排気筒を備えたＦＦ式石油ストーブを用いることにより、ランニングコストが安く、燃焼した排ガスは外部に排出され、室内には清浄な暖気だけが循環するので、衛生的である。
【図面の簡単な説明】
【図１】本発明の実施の一形態による全室暖房システムの概略構成図である。
【図２】本発明の全室暖房システムを設置した住宅の各部屋の温度変化の状態を測定したグラフである。
【符号の説明】
１        リビングダイニング
２        和室
３        子供部屋
４        寝室
５        ＦＦ式石油ストーブ
６        外部給排気筒
７        壁
８        天井面
９        吸込口
１０    吹出口
１１    床面
１３    天井裏
１４    送風ファン
１５    ダクト
【図１】
2004271100.tif 000003
【図２】
2004271100.tif 000004